(57)【要約】【課題】葺設状態における頭側と尻側の接地箇所の距離が長く、特に軽量な屋根葺材では曲げ強度が不足する。【解決手段】屋根下地Ｗにおける横桟Ｘに屋根葺材の尻側裏面の引掛け15、15a を掛けると共に、頭側を下方の屋根葺材の尻側の上方に重ね、この葺設状態の屋根葺材の尻側及び頭側を接地させる葺設構造であって、上記尻側又は頭側の接地箇所のうち少なくともどちらか一方をその端部より中央側寄りに設定して、当該部位を下方支持する手段を講じることで、屋根葺材の尻側及び頭側の接地箇所の距離Laを短くする。よって、例え薄厚化された軽量な屋根葺材であったとしても、葺設状態における屋根葺材の曲げ強度が向上する。【選択図】図６
2009264096.tif 000002
【特許請求の範囲】
【請求項１】
屋根下地における横桟に屋根葺材の尻側裏面の引掛けを掛けると共に、頭側を下方の屋根葺材の尻側の上方に重ね、この葺設状態の屋根葺材の尻側及び頭側を接地させる葺設構造であって、上記尻側又は頭側の接地箇所のうち少なくともどちらか一方をその端部より中央側寄りに設定して、当該部位を下方支持する手段を講じたことを特徴とする屋根葺材葺設構造。
【請求項２】
頭側の接地箇所を、屋根葺材の前垂れより中央側寄りの部分に設定し、当該箇所の下方支持手段を屋根葺材及び／又は屋根下地側に講じたことを特徴とする請求項１記載の屋根葺材葺設構造。
【請求項３】
頭側の接地箇所を、屋根葺材の頭側重合部位の裏面に設定し、当該箇所の下方支持手段を、上下方向に隣接する２枚の屋根葺材における重合部位の対向面間に講じたことを特徴とする請求項２記載の屋根葺材葺設構造。
【請求項４】
尻側の接地箇所を、屋根葺材における尻側重合部位の裏面で引掛けより中央側寄りの部分に設定し、当該箇所の下方支持手段を屋根葺材及び／又は屋根下地側に講じたことを特徴とする請求項１記載の屋根葺材葺設構造。
【請求項５】
下方支持手段を、屋根下地側に設けた屋根葺材側に当接する支持桟木としたことを特徴とする請求項４記載の屋根葺材葺設構造。
【請求項６】
屋根葺材における引掛けを尻側重合部位の裏面に形成して、尻側の接地箇所を、尻側重合部位の裏面における引掛けの直前部位に設定し、下方支持手段を横桟としたことを特徴とする請求項１記載の屋根葺材葺設構造。
【請求項７】
請求項３記載の屋根葺材葺設構造に使用する屋根葺材であって、頭側に前垂れを、尻側に引掛けを有する薄厚な瓦本体における、葺設状態における上下方に隣接する瓦本体の重合部位の一方の対向面に、他方の対向面に当接する突片を設けて、該突片を瓦本体における前垂れより中央側寄りの部位の下方支持手段としたことを特徴とする屋根葺材。
【請求項８】
請求項５記載の屋根葺材葺設構造に使用する屋根葺材であって、頭側に前垂れを、尻側に引掛けを有する薄厚な瓦本体の尻側重合部位の裏面に、支持桟木の上面に当接する突起を設けたことを特徴とする屋根葺材。
【請求項９】
請求項６記載の屋根葺材葺設構造に使用する屋根葺材であって、頭側に前垂れを有する薄厚な瓦本体の尻側重合部位の裏面に、横桟に対する引掛けを形成したことを特徴とする屋根葺材。
【発明の詳細な説明】
【技術分野】
【０００１】
本発明は、葺設状態における屋根葺材が踏割れし難い屋根葺材葺設構造及び該屋根葺材葺設構造を確実且つ簡単に実現可能な屋根葺材に関する。
【背景技術】
【０００２】
従来、頭側に前垂れを有する屋根葺材にあっては、尻側下面が屋根下地側の横桟上面に、頭側の前垂れ下端面が下方の瓦の尻側上面に夫々接地する様に葺設されるのが一般的であり、例えば瓦本体の一側方にオーバーラップ部が、他側方にアンダーラップ部が、頭側に前垂れが、尻側下面に横桟に対する引掛けが夫々形成されたものが一般的であり、例えば瓦本体の尻側上面を載置用の平坦面部とすると共に、一方側に重ね用段部を形成し、頭側に前垂れ部を設けると共に、瓦本体における尻側上面の平坦面部を除いた部分に複数列の凹凸リブを設け、該凹凸リブにより補強されて肉厚を薄くした屋根葺材が見受けられる（例えば、特許文献１参照）。
この軽量化された屋根葺材によれば、躯体側への負担が軽減されて耐震性が向上すると共に葺設作業性も向上する。
【先行技術文献】
【特許文献】
【０００３】
【特許文献１】登録実用新案第３００３６４３号公報
【発明の概要】
【発明が解決しようとする課題】
【０００４】
しかし、屋根葺材には、葺設作業時に作業員が踏んでも割れない程度の曲げ強度が要求されるものであるのに対し、頭側に前垂れを、尻側に引掛けを有することから、その接地箇所が頭端と尻端に極めて近い位置になって、それらの間の距離が長く曲げ強度不足に伴う踏割れが発生し易い形態であり、更に上記屋根葺材にあっては、確かに凹凸リブを設けて補強されてはいるものの、更なる軽量化を図るべく薄厚化してもある時点で強度不足になってしまうため、充分な強度を持たせるためには思った程の軽量化が図れないなど、解決せねばならない課題があった。
【課題を解決するための手段】
【０００５】
本発明は、上記従来技術に基づく、葺設状態における頭側と尻側の接地箇所の距離が長く、特に軽量な屋根葺材では曲げ強度が不足する課題に鑑み、屋根葺材の尻側及び頭側の接地箇所の距離を短くするために、屋根下地における横桟に屋根葺材の尻側下面の引掛けを掛けると共に、頭側を下方の屋根葺材の尻側の上方に重ね、この葺設状態の屋根葺材の尻側及び頭側を接地させる葺設構造であって、上記尻側又は頭側の接地箇所のうち少なくともどちらか一方をその端部より中央側寄りに設定し、当該部位を下方支持する手段を講じることによって、少なくともどちらか一方の接地箇所を尻端又は頭端より中央側へ離れた位置に成って、尻側及び頭側の接地箇所間の距離が実際に短くなって、例え薄厚化された軽量な屋根葺材であったとしても、葺設状態における屋根葺材の曲げ強度を向上させる様にして、上記課題を解決する。
具体的には、頭側に前垂れを、尻側に引掛けを有する薄厚な瓦本体における、葺設状態における上下方に隣接する瓦本体の重合部位の一方の対向面に、他方の対向面に当接する突片を設けて、該突片を瓦本体における前垂れより中央側寄りの部位の下方支持手段としたり、頭側に前垂れを、尻側に引掛けを有する薄厚な瓦本体の尻側重合部位の下面に、支持桟木の上面に当接する突起を設けたり、或いは頭側に前垂れを有する薄厚な瓦本体の尻側重合部位の下面に、横桟に対する引掛けを形成して横桟を下方支持手段とする屋根葺材によれば、葺設状態における頭側又は尻側の接地箇所を確実且つ簡単に端部より中央側寄りに位置させることを可能にしている。
【発明の効果】
【０００６】
要するに本発明は、屋根下地における横桟に屋根葺材の尻側下面の引掛けを掛けると共に、頭側を下方の屋根葺材の尻側の上方に重ね、この葺設状態の屋根葺材の尻側及び頭側を接地させる葺設構造であって、上記尻側又は頭側の接地箇所のうち少なくともどちらか一方をその端部より中央側寄りに設定し、当該部位を下方支持する手段を講じ、請求項２に係る発明にあっては、頭側の接地箇所を、屋根葺材の前垂れより中央側寄りの部分に設定し、当該箇所の下方支持手段を屋根葺材及び／又は屋根下地側に講じ、請求項４に係る発明にあっては、尻側の接地箇所を、屋根葺材における尻側重合部位の下面で引掛けより中央側寄りの部分に設定し、当該箇所の下方支持手段を屋根葺材及び／又は屋根下地側に講じ、請求項６に係る発明にあっては、屋根葺材における引掛けを尻側重合部位の下面に形成して、尻側の接地箇所を、尻側重合部位の下面における引掛けの直前部位に設定し、下方支持手段を横桟としているので、かかる屋根葺材の葺設構造にあっては、請求項２に係る発明の場合には各屋根葺材における頭側の接地箇所が前垂れより中央側寄りになり、請求項４、６に係る発明の場合には各屋根葺材における尻側の接地箇所が尻側端面より中央側寄りになって、２箇所の接地箇所間の距離が短くなるため、葺設状態における踏割れに対する曲げ強度を向上させることが出来、よって作業者が屋根葺材に載っても踏割れしにくい屋根葺材葺設構造を構築することが出来る。
又、頭側の接地箇所を、屋根葺材の頭側重合部位の下面に設定し、当該箇所の下方支持手段を、上下方向に隣接する２枚の屋根葺材における重合部位の対向面間に講じたり、
或いは下方支持手段を、屋根下地側に設けた屋根葺材側に当接する支持桟木としたので、比較的容易に本願に係る屋根葺材葺設構造を実現させることが出来る。
【０００７】
上記葺設構造に使用する屋根葺材を、頭側に前垂れを、尻側に引掛けを有する薄厚な瓦本体における、葺設状態における上下方に隣接する瓦本体の重合部位の一方の対向面に、他方の対向面に当接する突片を設けて、該突片を瓦本体における前垂れより中央側寄りの部位の下方支持手段としたものとしたので、単に従来の屋根葺材と同様に葺設すれば、頭側の接地部位を頭側端面より尻側寄りにすることが出来るため、踏割れしにくい屋根葺材葺設構造を簡単に構築することが出来る。
又、屋根葺材を、頭側に前垂れを、尻側に引掛けを有する薄厚な瓦本体の尻側重合部位の下面に、支持桟木の上面に当接する突起を設けたり、頭側に前垂れを有する薄厚な瓦本体の尻側重合部位の下面に、横桟に対する引掛けを形成したものとしたので、単に従来の屋根葺材と同様に葺設すれば、尻側の接地部位を尻側端面より頭側寄りにすることが出来るため、踏割れしにくい屋根葺材葺設構造を簡単に構築することが出来る等その実用的効果甚だ大である。
【０００８】
尚、瓦本体における外部露出部位を断面波形形状とし、中央の山部を幅広山部と、両側の山部を半山部とすると共に、隣接する山部の間を谷部とし、半山部を除く山部を尻側重合部位の上面より突出させると共に、谷部を尻側重合部位の上面より陥没させ、上記谷部の下面を尻側重合部位の下面より突出させると共に、半山部を除く山部の下面側を尻側重合部位の下面より陥没させれば、半山部を除く山部の下面を隣接する２つの谷部と前垂れと尻側重合部位との段部で囲まれるため、山部の強度を向上させることが出来、延いては瓦本体全体の強度を向上させることが出来、よって上記効果と相俟って葺設状態における強度を更に向上させて、更に踏割れしにくい屋根葺材葺設構造を簡単に構築することが出来る。
【図面の簡単な説明】
【０００９】
【図１】本発明に係る屋根葺材の斜視図である。
【図２】図１の屋根葺材の下面斜視図である。
【図３】図１のＡ−Ａ断面の拡大図である。
【図４】図１のＢ−Ｂ断面の拡大図である。
【図５】図１の屋根葺材の葺設構造を示す桁行方向の断面の要部拡大図である。
【図６】図１の屋根葺材の葺設構造を示す流れ方向の断面の要部拡大図である。
【図７】屋根葺材の他の実施例の下面斜視図である。
【図８】図７の屋根葺材の葺設構造を示す桁行方向の断面の要部拡大図である。
【図９】図７の屋根葺材の葺設構造を示す流れ方向の断面の要部拡大図である。
【図１０】頭側の下方支持手段を屋根葺材とは別体とした葺設構造を示す流れ方向の断面の要部拡大図である。
【図１１】葺設状態における頭側の接地箇所を前垂れ下端面とし、尻側の接地箇所を、上方の屋根葺材の前垂れの直下部位の下面とした屋根葺材の下面斜視図である。
【図１２】図１１の屋根葺材の葺設構造を示す桁行方向の断面の要部拡大図である。
【図１３】図１２の他の実施例の葺設構造を示す流れ方向の断面の要部拡大図である。
【図１４】図１２の屋根葺材の他の実施例を示す下面斜視図である。
【図１５】図１４の屋根葺材の葺設構造を示す桁行方向の断面の要部拡大図である。
【発明を実施するための最良の形態】
【００１０】
以下本発明の一実施例を図面に基づいて説明する。
先ず、本発明に係る屋根葺材葺設構造の基本形態としては、瓦本体１の一側方にオーバーラップ部２が、他側方にアンダーラップ部３が、頭側に前垂れ４が、尻側に一対の引掛け15、15a が夫々形成された屋根葺材を、各屋根葺材の尻側を屋根下地Ｗ側に接地させると共に、頭側下面における前垂れ４より尻側寄りの部位を下方支持する手段を設ける様にして、屋根下地Ｗ上に葺設されている。
以下、具体的に説明する。
【００１１】
図１〜４は、本発明に係る屋根葺材の斜視図、図１の屋根葺材の下面斜視図、図１のＡ−Ａ断面の拡大図、図１のＢ−Ｂ断面の拡大図であり、この屋根葺材にあっては、葺設状態における流れ方向に隣接する上下２枚の屋根葺材の重合部位の一方の対向面に一体突設して、他方の対向面に当接させる突片５、5aを上記下方支持手段とし、具体的には尻側重合部位６の上面、更に具体的には尻側重合部位６に形成された尻側水返し９の上面に台形状の一対の突片５、5aが一体突設されている。
又、瓦本体１は、尻側重合部位６を概ね平板状とすると共に、該尻側重合部位６より頭側部位である外部露出部位6aを波形板状とし、該外部露出部位6aは５個の山部７、7a、7b、7c、7d及び４個の谷部８、8a、8b、8cを交互に連続させて形成されており、上記突片５、5aは、図５に示す様な千鳥葺きの場合、葺設状態における上方の２枚の屋根葺材における谷部８、8a、8b、8cの下面、具体的には一方の屋根葺材における谷部8cの下面と他方の屋根葺材における谷部８の下面に当接する様に配置されている。
更に、尻側重合部位６の上面に対し、山部７、7a、7b、7c、7dの上面を突出させると共に谷部８、8a、8b、8cの上面を陥没させる様に形成し、尻側重合部位６の下面に対し、谷部８、8a、8b、8cの下面を突出させると共に山部７、7a、7b、7c、7dの下面を陥没させる様に形成している。
又、上記山部７、7a、7b、7c、7dはなるべく低く断面アーチ形状とし、谷部８、8a、8b、8cはなるべく浅くすると共に、隣接する山部７、7a、7b、7c、7dと谷部８、8a、8b、8c間は緩やかな傾斜部位にて連続させている。
【００１２】
上記山部７、7a、7b、7c、7dのうち、中央の山部7bを幅広山部とし、両側の山部７、7dを半山部とし、残る山部7a、7cを幅狭山部とし、上記谷部８、8a、8b、8cを幅狭谷部とすることで、上記山部7bの下面側は四方を尻側重合部位６との段部、谷部8a、8b、及び前垂れ４で囲まれた凹部になるため、上記山部7aの下面側は四方を尻側重合部位６との段部、谷部８、8a、及び前垂れ４で囲まれた凹部になるため、上記山部7cの下面側は四方を尻側重合部位６との段部、谷部8b、8c、及び前垂れ４で囲まれた凹部になるため、薄厚な瓦本体１であっても必要強度を有させることが可能になる。
又、桁行方向に隣接する２枚の屋根葺材の半山部（山部７、7d）で中央の幅広山部（山部7b）と同一形状になる様にし、且つ瓦本体１の一側方の半山部（山部7d）をオーバーラップ部２とすべく他方の半山部（山部７）より若干幅広くしている。
【００１３】
又、尻側重合部位６の下面に、積重状態における下方の屋根葺材の突片５、5aの収容凹部10を形成している。
又、尻側重合部位６の下面に、流れ方向に長い突条11、11a …を設け、該突条11、11a …の下端面を谷部８、8a、8b、8cの最下面と同レベルとして、図５、６、８、９に示す様に、葺設状態において横桟Ｘの上面に当接させる様にしている。
【００１４】
図７は屋根葺材の他の実施例の下面斜視図であり、外部露出部位6aの先端側である頭側重合部位6bで上記谷部８、8cの下面に一体突設された台形状の一対の突片５、5aを上記下方支持手段としており、該突片５、5aは、葺設状態における下方の２枚の屋根葺材の尻側重合部位６の上面、更に具体的には尻側重合部位６に形成された尻側水返し９の上面に当接する様に形成している。
【００１５】
そして、上記屋根葺材を屋根下地Ｗ上に千鳥葺きすると、図５、６に示す様に、上方の２枚の屋根葺材のうち一方の谷部8cの下面と他方の谷部８の下面に下方の屋根葺材の突片５、5aが当接し、図８、９に示す様に、下方の２枚の屋根葺材の尻側水返し９の上面に上方の屋根葺材の突片５、5aが当接し、前垂れ４の下端面は、下方の２枚の屋根葺材における尻側重合部位６の上面に接地しない。
よって、葺設状態の屋根葺材は、横桟Ｘとの接地箇所、即ち屋根葺材の下面における引掛け15、15a より頭側寄りの直近部位から突片５、5aまでの距離Laが、横桟Ｘとの接地箇所から前垂れ４の下端面までの距離Ｌより短くなる。
【００１６】
尚、上記実施例にあっては、２個の突片５、5aを有しているが、かかる個数に限定せず、複数個であれば良い。しかし、安定性を考慮すると２個にするのが好ましい。
又、突片５、5aの位置を、葺設状態における下方の屋根葺材の尻側水返し９の位置で支える様に形成されているが、かかる位置に限定せず、葺設状態における屋根葺材の重合部位（尻側重合部位６又は頭側重合部位6b）内であればどこでも良いが、なるべく下方の屋根葺材の尻側水返し９に近い位置で支持する様に形成する、具体的には重合部位（尻側重合部位６又は頭側重合部位6b）の境界部付近に形成するのが好ましい。
又、上記実施例における瓦本体１にあっては、５個の山部７、7a、7b、7c、7dと４個の谷部８、8a、8b、8cを有しているが、かかる個数に限定されず、少なくとも両側に半山部、中央に幅広山部、それらの間に谷部があれば良い。しかし、山部はある程度の幅を必要とするため、３個か５個程度とするのが好ましい。
【００１７】
又、葺設状態における屋根葺材の頭側を下方支持する手段を、屋根葺材とは別体としても良く、例えば図１０に示す様に、屋根下地Ｗにおける屋根葺材の尻側端面より上方側の部位に、その上方の屋根葺材の頭側下面に当接する受承体13を設置して、葺設状態の屋根葺材における、横桟Ｘとの接地箇所から突片５、5aまでの距離Laを、横桟Ｘとの接地箇所から前垂れ４の下端面までの距離Ｌより短くしても良い。
【００１８】
又、上記実施例においては、屋根葺材の尻側を屋根下地Ｗ側に接地させると共に、頭側下面における前垂れ４より尻側寄りの部位を下方支持する手段を設けているが、図１１〜１３に示す様に、上方の屋根葺材の頭側を、下方の屋根葺材の尻側上方に重ね、屋根葺材の尻側端部における尻側端面より頭側寄りの部位で、上方の屋根葺材の前垂れ４の直下部分を下方支持する手段を屋根下地Ｗに設けて、葺設状態の屋根葺材における、下方支持手段との接地箇所から前垂れ４までの距離Lbを、横桟Ｘとの接地箇所から前垂れ４の下端面までの距離Ｌより短くしても良い。
【００１９】
具体的には、基本形態は上記実施例と略同じであるが、尻側重合部位６の上面又は頭側重合部位6bの下面に突片５、5aは無く、図１１〜１３に示す様に、尻側重合部位６の下面にして外部露出部位6aとの境界線付近に突起12を形成し、図１２に示す様に、屋根下地Ｗ側の横桟Ｘの幅を上記突起12が接地可能な程度に広くするか、或いは図１３に示す様に、屋根下地Ｗ側における、尻側重合部位６の下面にして外部露出部位6aとの境界線付近の下方に横桟Ｘとは別個で突起12に当接する支持桟木14を設けて、幅広な横桟Ｘ又は支持桟木14が、下方の屋根葺材における上方の屋根葺材の前垂れ４の直下部分の下方支持手段と成っており、又図１４、１５に示す様に、上記横桟Ｘの引掛け15、15a を、尻側端部に形成せずに該尻側端部より頭側寄りの、尻側重合部位６の下面にして外部露出部位6aとの境界線付近の下方に設け、図１５に示す様に、上記横桟Ｘが尻側重合部位６の下面にして外部露出部位6aとの境界線付近の下方に位置して、下方の屋根葺材における上方の屋根葺材の前垂れ４の直下部分の下方支持手段と成っている。
尚、図１２、１３に示す屋根葺材葺設構造の場合、２個の突起12、12を有しているが、１個又は３個以上であっても良く、又尻側端部に形成された引掛け15、15a を横桟Ｘに引っ掛けて葺設し、尻側の屋根下地側への接地箇所は、突起12が幅広な横桟Ｘ又は支持桟木14となる様にして、引掛け15、15a 付近で横桟Ｘに接地しない様にするのが確実であり、よって突起12を形成せずに、幅広な横桟Ｘの形状を頭側が高くなる様に形成したり、支持桟木14の高さを横桟Ｘより高くして対応しても良い。
【００２０】
又、図示された屋根葺材は千鳥葺き用で薄厚な軽量瓦であるが、筋葺き用であっても良く、而も一般的な厚い陶磁器瓦であったり、セメント瓦、金属瓦、或いはスレートなどであっても良いが、本願に係る葺設構造は踏割れし易い軽量瓦には最適である。
【符号の説明】
【００２１】
１          瓦本体
４          前垂れ
５、5a      突片
６          尻側重合部位
6b          頭側重合部位
12          突起
14          支持桟木
15、15a     引掛け
La          屋根葺材の尻側及び頭側の接地箇所の距離
Lb          屋根葺材の尻側及び頭側の接地箇所の距離
Ｗ          屋根下地
Ｘ          横桟
【図１】
2009264096.tif 000003
【図２】
2009264096.tif 000004
【図３】
2009264096.tif 000005
【図４】
2009264096.tif 000006
【図５】
2009264096.tif 000007
【図６】
2009264096.tif 000008
【図７】
2009264096.tif 000009
【図８】
2009264096.tif 000010
【図９】
2009264096.tif 000011
【図１０】
2009264096.tif 000012
【図１１】
2009264096.tif 000013
【図１２】
2009264096.tif 000014
【図１３】
2009264096.tif 000015
【図１４】
2009264096.tif 000016
【図１５】
2009264096.tif 000017